Podtech/llm-jp-corpus-v4-ja_patent huggingface dataset:
(57)【要約】      （修正有）【課題】簡単なレバー操作で船を操ること。【解決手段】バネ鋼（４）がたわむことによって、鋼板（５）に水を後方へ押し出す角度が生じ、これによって解決した。 【選択図】図１
2005255132.tif 000002
【特許請求の範囲】
【請求項１】
バネ鋼のたわみを水の押し出しに利用した櫂
【発明の詳細な説明】
【発明の詳細な説明】
この発明は水中の櫂の動きを、魚の尾鰭の動きに近ずくよう、櫂の材質を軸側にバネ鋼を使い弾性を持たせた。
伝馬船の櫂、手漕ぎ船など、初心者がいきなり操るのは難しい、誰もがすぐに、こなす、櫂があればボート遊びなどが盛んになると思う。
本発明は軸（２）および軸受け（３）で支持された手漕ぎレバー（１）を船上で動かすだけで、前進、方向替え、後進が容易に行えるものである。
以下にそれを説明すると、
（イ）船尾（７）に、軸（２）および軸受け（３）を、取り付ける、軸は回転可能とする。
（ロ）船上で軸（２）に、手漕ぎレバー（１）を、取り付ける。
（ハ）水中（６）で、軸（２）に、櫂（４，５）を、取り付ける。
櫂（４，５）は、軸（２）側がバネ鋼（４）、先端側が鋼板（５）から成り立っている。
手漕ぎレバー（１）を左右に動かすと、軸（２）を支点に水中（６）の櫂（４，５）が連動する。
櫂は停止のときは、軸（２）、バネ鋼（４）、鋼板（５）、は一直線上にあるが、手漕ぎレバーを動かした（漕ぐ）とき、櫂（４，５）は、水の抵抗を受けてバネ鋼（４）が撓み、湾曲する、これにより鋼板（５）は角度が開き、水を後方へ押し出す働きをする。
手漕レバー（１）を左右に動かす（漕ぐ）ことにより、櫂（４，５）は水を後方へ交互に押し出し、船は前進する。
方向替え、後退は手漕ぎレバー（１）の角度を変えて左右に動かす（漕ぐ）。
【図面の簡単な説明】  ［図１］  側面組立図
【符号の説明】
（１）手漕ぎレバー
（２）軸
（３）軸受け
（４）櫂のバネ鋼側
（５）櫂の鋼板側
（６）水中
（７）船尾
【図１】
2005255132.tif 000003
(57)【要約】【課題】  同乗器付自転車で乳幼児を移動中、体のぐらつきを抑えるクッションを提供する。【解決手段】  同乗器付自転車に用いる背もたれ、クッション性のあるウデ、着脱可能でクッション性のあるマクラ、留め具を有することを特徴とする同乗器付自転車用乳幼児保護クッション。【選択図】  図１
2005255133.tif 000002
【特許請求の範囲】
【請求項１】
同乗器付自転車に用いる背もたれ、クッション性のあるウデ、着脱可能でクッション性のあるマクラ、留め具を有することを特徴とする同乗器付自転車用乳幼児保護クッション。
【発明の詳細な説明】
【技術分野】
【０００１】  本発明は、同乗器付自転車で乳幼児を移動中、体のぐらつきを抑えるクッションに関するものである。
【背景技術】
【０００２】  従来、ハンドル用クッションを使用したとき頭部のみの保護である。同乗器と乳幼児の間に隙間があるためグラグラして不安定である。
【発明の開示】
【発明が解決してとする課題】
【０００３】  そのため次のような問題点があった。
（イ）頭部のみ保護しても体全体が保護しきれなかった。
（ロ）移動中の自転車の揺れや乳幼児が熟睡してしまったことの体全体のぐらつきを保護していなかったため、安心かつ安全に自転車の運転に集中できなかった。
（ハ）乳幼児の中でも体の大きい子、小さい子と様々で同乗器との隙間にも小さい場合大きい場合とばらつきがあった。
本発明は以上の問題点を解決しようとするものである。
【課題を解決するための手段】
【０００４】  背もたれの両端からウデを設け、その先端に留め具を設ける。背もたれ上部に着脱可能なマクラを設ける。ウデとマクラにクッション性を有するクッション材を設ける。ウデの使い方に変化を持たせられ、乳幼児の体の大小にかかわらず隙間を埋めることが出来，より体全体のぐらつきを保護できる。以上を特徴とする同乗器付自転車用乳幼児保護クッションである。
【発明の効果】
【０００５】  本発明は、同乗器付自転車で移動中に乳幼児の体全体のぐらつきを保護する。したがって、母親は自転車の運転に集中できる。
【発明を実施するための最良の形態】
【０００６】  以下、本発明の実施の形態について説明する。
（イ）  帯状の背もたれ（１）の両端に円筒状の空気等からなるクッション材（７）の入ったウデ（２）を設ける。
（ロ）  空気は空気袋（８）に空気注入口（９）より注入する。
（ハ）  ウデ（２）の先端に自転車の同乗器持ち手（１２）等につける金属の留め具（４）を設ける。
（ニ）  留め具（４）は洗濯可能な素材を用いたウデカバー（２ａ）と同素材のループ（５）で固着する。
（ホ）  クッション材（７）の出し入れを可能にする為、ファスナー（６）を設ける。
（ヘ）  背もたれ（１）の上部に面ファスナー（１０）で着脱可能な綿等からなるクッション材（７）の入ったマクラ（３）を設ける。
（ト）  マクラ（３）はウデカバー（２ａ）と同素材のマクラカバー（３ａ）からなり同乗器背もたれ（１３）に沿わせるように横長の筒を３箇程、縦に合わせる。
本発明は以上の構成になっている。
本発明を使用するときは自転車の同乗器（１１）に乗った乳幼児の背中から脇にかけてはさむ。乳幼児の体と同乗器（１１）との隙間が大きい時はウデ（２）をクロスにし、隙間が小さい時はウデ（２）を平行にし、留め具（４）を用いて同乗器の持ち手（１１）等につける。ウデ（２）のクッション材（７）の度合は乳幼児の成長の変化に応じて空気の注入具合によって調整できる。
なお、本発明の実施の形態ではウデのクッション材は空気を例に説明したが綿等その他のクッション材でも同様に製造できる。また、マクラのクッション材は綿を例に説明したがスポンジ等その他のクッション材でも同様に製造できる。
【図面の簡単な説明】
【０００７】
【図１】  本発明の斜視図
【図２】  本発明の分解断面図
【図３】  使用状態を示す斜視図（イ）  隙間が大きい場合の説明図（ロ）  隙間が小さい場合の説明図
【符号の説明】
【０００８】    １  背もたれ
２  ウデ
２ａ  ウデカバー
３  マクラ
３ａ  マクラカバー
４  留め具
５  ループ
６  ファスナー
７  クッション材
８  空気袋
９  空気注入口
１０面ファスナー
１１同乗器
１２同乗器持ち手
１３同乗器背もたれ
【図１】
2005255133.tif 000003
【図２】
2005255133.tif 000004
【図３】
2005255133.tif 000005
(57)【要約】【課題】浮き袋等の空気で膨らませる袋は、空気袋全体の空気量を送り込まなければ膨らまない為、時間がかかり大変であった。【解決手段】空気袋の本体１に外形を支える空気室３を設け、本体１に空気を取り入れる空気取り入れ口２とは別に設けられている空気室用空気取り入れ口４と離れた位置に本体１に通じる空気孔５が設けられている。空気室３を膨らませることにより外形を広げて空気取り入れ口２から自然に入る空気も利用するので、送り込む空気の量を少なくし、短い時間で簡単に膨らませることができる。【選択図】    図１
2005255135.tif 000002
【特許請求の範囲】
【請求項１】
外形を広げて骨組みとなる空気室を設け、この空気室を膨らませる空気取り入れ口を空気袋本体を膨らませる空気取り入れ口とは、別に設けたことを特徴とする空気袋。
【請求項２】
前記の空気室と空気袋本体に通じる空気孔があることを特徴とする請求項１記載の空気袋。
【発明の詳細な説明】
【技術分野】
【０００１】  この発明は、空気を入れやすくした浮き袋等の空気で膨らませる袋に関する。
【背景技術】
【０００２】  従来、浮き袋やその他の空気を入れて膨らませる袋には、図５に示すように、空気袋の本体１に空気取り入れ口２が設けられたものである。
【発明の開示】
【発明が解決しようとする課題】
【０００３】  しかしながら、以上の技術によれば、空気袋全体の空気量を送り込まなければ膨らまない為、時間がかかり大変であった。そこで、この発明は、送り込む空気の量を少なくし、短い時間で膨らませる空気袋を提供することを課題とする。
【課題を解決するための手段】
【０００４】  以上の課題を解決する為に、第一発明は、空気袋の外形を広げて骨組みとなる空気室を設け、この空気室を膨らませる空気取り入れ口を空気袋本体を膨らませる空気取り入れ口とは、別に設けたことを特徴とする空気袋である。
また、第二発明は、外形を広げる空気室と空気袋本体に通じる空気孔があり、空気室用空気取り入れ口を空気袋本体を膨らませる空気取り入れ口とは、別に設けたことを特徴とする空気袋である。
【発明の効果】
【０００５】  第一発明、または第二発明によれば、空気室用空気取り入れ口から空気室の容量分の空気を送り込み空気室を膨らませることにより空気袋本体にも空気取り入れ口から自然に空気を取り込み膨らませやすくしている。
また第二発明によれば、空気室に空気袋本体に通じる空気孔を設け、空気室より空気袋本体にも空気が入り、空気袋の外形も空気室で変形しにくくなり、空気を抜く時にも抜きやすくなる。
【発明を実施するための最良の形態】
【０００６】  この発明の一実施形態を、図１に示す。
空気袋の本体１は、軟質ビニールやゴム等の材質であり、空気取り入れ口２が設けられている。この本体１に外形を支える空気室３を設け、本体１に空気を取り入れる空気取り入れ口２とは別に空気室３に空気を入れる空気室用空気取り入れ口４が設けられている。
空気室３には、空気室用空気取り入れ口４と離れた位置に本体１に通じる空気孔５が設けられている。【０００７】  この実施形態によれば、空気室３を膨らませることにより空気袋の本体１に空気取り入れ口２から自然に入る空気を利用して膨らませる為、送り込む空気の量を少なくし、短い時間で簡単に膨らませることができる。【０００８】  図１の実施形態では、本体１と通じる空気孔５を設けてあったが、他の実施形態では、この空気孔５がない場合で最初に空気室３を利用し、最後に本体１だけで膨らませる形態では、空気室用空気取り入れ口４の栓や弁は、なくても良い。
また、図４のように本体１と空気室３が固定されていない構造でも良い。
【図面の簡単な説明】
【０００９】
【図１】この発明の一実施例を示す部分断面図である。
【図２】図１におけるＡ−Ａ線断面図である。
【図３】図１におけるＢ−Ｂ線断面図である。
【図４】他の実施形態による部分断面図である。
【図５】従来技術を示す断面図である。
【符号の説明】
【００１０】      １  空気袋本体
２  空気取り入れ口
３  空気室
４  空気室用空気取り入れ口
５  本体と通じる空気孔
【図１】
2005255135.tif 000003
【図２】
2005255135.tif 000004
【図３】
2005255135.tif 000005
【図４】
2005255135.tif 000006
【図５】
2005255135.tif 000007
(57)【要約】      （修正有）【課題】製造コストのかからない、簡単な構造のジェット推進ポンプを提供する。【解決手段】モーターで回転し、流体を高圧で排出するスプール羽根を円筒の中に設けジェット推進ポンプとする。【選択図】図１
2005255139.tif 000002
【特許請求の範囲】
【請求項１】
円筒の中に、スプール羽根が回転するように固定したポンプ。
【請求項２】
スプールをモーターで回転させると、流体を高圧で排出する。
【発明の詳細な説明】
【技術分野】水上推進装置【０００１】本発明は、構造を簡単にし、従来型と同等の性能をひきだす。
【背景技術】
【０００２】従来型では、構造が複雑であったり、必要以上に大型化しそうである。
【特許文献１】特許公開２００２−３０２０９６号  特許公開２００２−３１６６９５号  特許公開２００３−２２８９  特開２００３−２２７４１２
【非特許文献】ジェット機のエンジン
【発明の開示】
【発明が解決しようとする課題】
【０００３】本発明以外の方式では、製造コストがかかりそうなので、庶民に手が届きそうにない。
【課題を解決するための手段】
【０００４】本発明では、円錐型の案内羽根を円筒内で回転させることによる、圧縮、膨張の力を利用することにより、船の推進装置や消音機に使用する。
【発明の効果】
【０００５】図において、１は案内羽根で、らせん状。【０００６】２は歯車で、３は軸受けである。【０００７】案内羽根の回転方向により、圧縮か膨張する。
【発明を実施するための最良の形態】
【０００８】以下、本発明の実施の形態を、図１〜図２と符号１〜６を使って説明する。【０００９】図２は回転部の詳細図であり、４の向きに回転させると、水を圧縮して吐き出す。【００１０】図においては、５の向きに回転させると６から水を吸う。【００１１】図２は斜めから見た図である。
【産業上の利用可能性】
【００１２】ジェット推進器、消音機、ポンプ、掃除機に使う。
【図面の簡単な説明】
【００１３】
【図１】ジェット推進器の正面図
【図２】回転部の図
【符号の説明】
【００１４】  （符号１）案内羽根とスプール
（符号２）歯車
（符号３）軸受け
（符号４）回転方向
（符号５）回転方向
（符号６）排水口
【図１】
2005255139.tif 000003
【図２】
2005255139.tif 000004
(57)【要約】【課題】  本発明は、リアワイパーの作動力を利用し、リアウインドウにメッセージを表示し、後続車に合流時のお礼、追突の注意喚起等のメッセージを提供するものである。【解決手段】  リアワイパーを作動した際、リアウインドウに貼り付けたシートの上に並べられた表示板が、右方、左方に倒れることにより、リアウインドウに文字又は絵を表示することを特徴とする、自動車リアウインド用表示装置。【選択図】  図１
2005255137.tif 000002
【特許請求の範囲】
【請求項１】
リアワイパーを作動した際、リアウインドウに貼り付けたシートの上に並べられた表示板が、右方、左方に倒れることにより、リアウインドウに文字又は絵を表示することを特徴とする、自動車リアウインド用表示装置。
【発明の詳細な説明】
【技術分野】
【０００１】  本発明は、リアワイパーを作動した際、リアウインドウに貼り付けたシートの上に並べられた表示板が、右方、左方に倒れることにより、リアウインドウに文字又は絵を表示することに関するものである。
【背景技術】
【０００２】  従来、リアウインドウに情報を表示する場合は、大掛かりなディスプレイを使用していた。
【発明の開示】
【発明が解決しようとする課題】
【０００３】  そのために、次のような問題点があった。
（イ）  ディスプレイを設置するには相当なコストがかかる。
（ロ）  合流時のお礼、追突の注意喚起等の後続車に対するコミュニュケーションは、          専らハザードランプの操作に委ねられており、他に有効な意思表示手段が無か          った。
本発明は以上の問題点を解決しようとするものである。
【課題を解決するための手段】
【０００４】    リアワイパーの作動する力を利用し、リアウインドウに貼り付けたシートの上に並べ  られた表示板が、右方、左方に倒れることにより、リアウインドウに文字又は絵を表示  し、後続車にメッセージを伝える、リアウインドウ表示装置である。
【発明の効果】
【０００５】    本発明は、ディスプレイ等の大掛かりな機器を必要とせず、リアウインドウに、装置  を貼り付けることにより、後続車へのメッセージ表示を可能としたものである。
【発明を実施するための最良の形態】
【０００６】  以下、本発明の実施の形態を説明する。
（イ）基盤（１）に台座（２）を平列して複数設ける。
（ロ）各台座（２）の両側に対向して支持板（３）を設け、支持板（３）に穴（４）を設      ける。
（ハ）表示板（５）の両側下端に、回転軸（６）を設ける。
（ニ）回転軸（６）は、支持板（３）の穴（４）に半回動自在に挿入される。
（ホ）台座（２）に、支持板（３）を挟むように、山状のストッパー（７）を設ける。
（ヘ）基盤（１）を、リアウインドウのリアワイパーの可動範囲に、装着する。
本発明は、以上の構造で、これを使用するときは、上記の処置をした上、リアワイパーを稼動させる。
表示板が右方向又は左方向に倒れることにより、文字又は絵を表示する。
【図面の簡単な説明】
【０００７】
【図１】本発明の斜視図
【図２】本発明の使用状態を示す側面図
【図３】本発明の使用状態を示す斜視図
【符号の説明】
【０００８】      １  基盤
２  台座
３  支持板
４  穴
５  表示板
６  回転軸
７  山状のストッパー
８  ワイパー
【図１】
2005255137.tif 000003
【図２】
2005255137.tif 000004
【図３】
2005255137.tif 000005
(57)【要約】【課題】  本発明は、車内でエアコン使用時に起こる乾燥を防止し、同時に芳香の発生により乗員に快適な環境を、簡易に提供する。【解決手段】  アルミ缶の中に吸水材を設け、そこに芳香剤入りの液体を注ぎ、吸水材に浸潤させ、自動車のドリンクホルダに装てんし、蒸気および芳香を発生し、簡易に車内の乾燥を防ぎ同時に芳香をすることを特徴とする車載用簡易加湿兼芳香器。【選択図】  図１
2005255138.tif 000002
【特許請求の範囲】
【請求項１】
アルミ缶の中に吸水材を設け、該吸収材に芳香剤入りの液体を浸潤させ、自動車のエアコン吹き出し口に装着したドリンクホルダに装てんし、車内の乾燥を防ぎ同時に芳香をすることを特徴とする車載用簡易加湿兼芳香器。
【発明の詳細な説明】
【技術分野】
【０００１】  本発明は、自動車エアコン使用時の車内の加湿ならびに芳香器に関するものである。
【背景技術】
【０００２】  従来、車載用の単なる芳香剤や、大掛かりな車載用空気清浄機ならびに加湿器は存在する。
【発明の開示】
【発明が解決しようとする課題】
【０００３】  そのために、次のような問題点があった。
一般的な車両には、空気清浄機や加湿器は装備されてなく、車でエアコンをつけると、車内が乾燥して乗員が不快な思いをしていた。
本発明は以上の問題点を解決しようとするものである。
【課題を解決するための手段】
【０００４】  アルミ缶の中に吸水材を設け、そこに芳香剤入りの液体を注ぎ、吸水材に浸潤させ、自動車のドリンクホルダに装てんし、蒸気および芳香を発生し、簡易に車内の乾燥を防ぎ同時に芳香をすることを特徴とする車載用簡易加湿兼芳香器である。
【発明の効果】
【０００５】  本発明は、車内でエアコン使用時に起こる乾燥を防止し、同時に芳香の発生により乗員に快適な環境を、簡易に提供するものである。
【発明を実施するための最良の形態】
【０００６】  以下、本発明の実施の形態を説明する。
（イ）アルミ缶（１）に、上部全面が簡易に開放できる蓋（２）を設ける。
（ロ）缶の内部に、吸水材（３）を装着する。
（ハ）吸水材の上部に凹部（６）を設け、該凹部（６）に、芳香剤入り液体のボトル（４）を装着し、缶の空間に装てんする。
本発明は、以上の様な構造で、これを使用するときは、アルミ缶の蓋（２）を開け、ボトル（４）に入った芳香剤入り液体を、吸水材（３）に含ませ、ボトル（４）自体は再装着しない。これを車内のエアコン吹き出し口に装着したドリンクホルダ（５）に装てんする。
【図面の簡単な説明】
【０００７】
【図１】本発明の斜視図
【図２】本発明の分解斜視図
【図３】本発明の使用状態を示す斜視図
【符号の説明】
【０００８】      １  アルミ缶
２  アルミ缶の蓋
３  吸水材
４  ボトル
５  ドリンクホルダ
６  凹部
【図１】
2005255138.tif 000003
【図２】
2005255138.tif 000004
【図３】
2005255138.tif 000005
(57)【要約】【課題】  日照との係わりによる相隣関係の改善、昼間の電灯光源を太陽光に切り替えることによる電力エネルギー消費の抑制及び寝たきり等介護を受けている者等への心と体のケア等について解決しようとするものである。【解決手段】  このために、光が一点に集まる楕円の特性と、光ファィバー等多少屈曲しても透光性を保持する素材を組み合わせて太陽光を屋内に導入し、更に、太陽光を照射する際には光線を和らげるために凹レンズの原理を用いて拡散させるものである。【選択図】  図１
2005071968.tif 000002
【特許請求の範囲】
【請求項１】
太陽光を楕円状の反射機器で集めて屋内等の日陰箇所に導くこと。
【請求項２】
太陽光を屋内などの日陰箇所に導くために、光ファイバー素材等多少屈曲しても透光性を有する素材を用いること。
【請求項３】
日陰箇所に照射する際には、凹レンズを用いて光を拡散させること。
【発明の詳細な説明】
【技術分野】
【０００１】  本発明は、光が一点に集まる楕円の特性と、光ファイバー素材等多少屈曲しても透光性を保持する素材を組み合わせて太陽光を屋内に導入し、更に、太陽光を照射する際には光線を和らげるために凹レンズを用いて拡散させるものである。
【背景技術】
【０００２】関連する文献及び従来技術については未知である。
【発明の開示】
【発明が解決しようとする課題】
【０００３】  本発明は、日照との係わりによる相隣関係の改善、昼間の電灯光源を太陽光に切り替えることによる電力エネルギー消費の抑制及び太陽光導入により寝たきり等介護を受けている者等への心と体のケア等について解決しようとするものである。
【課題を解決するための手段】
【０００４】  課題を解決するために、光が一点に集まる楕円の特性と、光ファィバー素材等多少屈曲しても透光性を保持する素材を組み合わせて太陽光を屋内に導入し、更に、太陽光を照射する際には光線を和らげるために凹レンズを用いて拡散させるものである。
【発明の効果】
【０００５】  従来、部屋に太陽光を採り入れるためには、壁面に開口部を設ける等の住宅の改築によってきたが、これには多額の費用と時間を要し、また、立地条件から改築をしたとしても太陽光を採り入れることができない場合もあり、隣接建物等の所有者との間での紛争・軋轢が絶えないところである。
この発明は、隣接建物等の日陰となっている建物や住宅内の地下室・北側の部屋等に太陽光を分配するものであり、日照権等に伴う相隣関係の改善、昼間の電灯光源を太陽光に切り替えることによる電力エネルギー消費の抑制及び寝たきり等介護を受けている者等への心と体のケアが期待できるものである。
【発明を実施するための最良の形態】
【実施例】
【０００６】  高層建物等の建築者が屋上又は壁面に楕円状の反射機器を設置して太陽光を集め、それを配分することによって北側居住者等との紛争・軋轢を防ぐことが可能である。
また、通常の住宅においては、簡易な工事によって光ファィバー等多少屈曲しても透光性を有するケーブルを通すことのできる孔を作ることにより、これまで電力に頼っていた光を太陽光に換えることができ、経費の節減にもつながるものである。
なお、固定して設置する場合には、「９０度ー設置地点の緯度」の仰角で南方向に向けることにより、最大の光量を得ることができるものである。
【図面の簡単な説明】
【０００７】
【図１】    断面図  （寸法、形状の比例関係は実物とは異なる。）
【図２】    光線図  （寸法、形状の比例関係は実物とは異なる。）
【符号の説明】
【０００８】    １  楕円状の反射部であり、その内側には反射材を備え付ける。
２  太陽光の集光部であり、耐熱材で保護し、楕円の焦点に設置する。
３  太陽光の導入管であり、透光性を有する材料を用いる。
４  固定部であり、反射及び集光部分並びに導入管連結・固定する。
５  屋外部。
６  屋内部。
７  照射部であり、凹レンズの原理により光を拡散させる。
【図１】
2005071968.tif 000003
【図２】
2005071968.tif 000004
(57)【要約】【課題】本発明は、ボールの一部を鋼球で受けることにより、ケースの設置角度に制限を設けないことを目的とする。【解決手段】本発明によるトラックボール装置は、ケース(1)内の各回転検出器(3)の回転部材(3a)上に位置するボール(5)の一部が蓋体(8)の輪状ボール抑え体(9)の鋼球(20)に接触しているため、ケース(1)の傾斜角度に拘わらずボール(5)の操作を可能とする構成である。【選択図】図１
2005071239.tif 000002
【特許請求の範囲】
【請求項１】
ケース(1)内に設けられた複数の回転検出器(3)と、前記各回転検出器(3)の各回転部材(3a)上に載置して回転自在に設けられたボール(5)と、前記ケース(1)の開口端(6)に設けられた開口(7)を有する蓋体(8)と、前記開口(7)に設けられ前記ボール(5)を抑えるための輪状ボール抑え体(9)とを備え、前記ボール(5)の一部が前記輪状ボール抑え体(9)から外方へ突出しているように構成したトラックボール装置において、
前記輪状ボール抑え体(9)の内面には複数の鋼球(20)が回転自在に設けられ、前記各鋼球(20)が前記ボール(5)に接触している構成よりなることを特徴とするトラックボール装置。
【発明の詳細な説明】
【技術分野】
【０００１】
本発明は、トラックボール装置に関し、特に、蓋体に設けた輪状ボール抑え体に鋼球を設けてボールに接触させることにより、トラックボール装置の取り付け角度に関係なくボールを回転操作することができるようにするための新規な改良に関する。
【背景技術】
【０００２】
従来、用いられていたこの種のトラックボール装置としては、例えば、特許文献１及び２に開示されているように、図２で示される構成が採用されていた。
すなわち、図２において符号１で示されるものは箱形をなし上部開放型のケースであり、このケース１の底部２上には互いに検出角度が異なる複数の回転検出器３（図では、１個のみしか示されていない）が設けられている。
【０００３】
前記各回転検出器３に連動するローラ等の回転部材３ａ及び支持ローラ４上には、ボール５が回転自在に載置して設けられ、このケース１の開口端６には、この開口端６をふさぐ状態で開口７を有する蓋体８が設けられている。
【０００４】
前記開口７からは、前記ボール５の一部が貫通かつ突出しており、この開口７に設けられた輪状ボール抑え体９の内面にボール５の表面が摺接している。
従って、このボール５を回転させることにより、各回転検出器３からＸ−Ｙ座標系の検出信号を得ることができる。
【０００５】
【特許文献１】特開平１１−３５３１０５号公報
【特許文献２】特開平１１−１４９３４６号公報
【発明の開示】
【発明が解決しようとする課題】
【０００６】
従来のトラックボール装置は、以上のように構成されていたため、次のような課題が存在していた。
すなわち、ボールの表面に輪状ボール抑え体の内面が摺接しているため、このトラックボール装置１０をキーボードに装着又は単独で用いる場合、図３で示されるように、その傾斜する最大設置角は３０度が限度で、これ以上傾斜させるとボールが円滑に回転できず、そのような角度で設置することは不可であった。
【課題を解決するための手段】
【０００７】
本発明によるトラックボール装置は、ケース内に設けられた複数の回転検出器と、前記各回転検出器の各回転部材上に載置して回転自在に設けられたボールと、前記ケースの開口端に設けられた開口を有する蓋体と、前記開口に設けられ前記ボールを抑えるための輪状ボール抑え体とを備え、前記ボールの一部が前記輪状ボール抑え体から外方へ突出しているように構成したトラックボール装置において、前記輪状ボール抑え体の内面には複数の鋼球が回転自在に設けられ、前記各鋼球が前記ボールに接触している構成である。
【発明の効果】
【０００８】
本発明によるトラックボール装置は、以上のように構成されているため、次のような効果を得ることができる。
すなわち、蓋体の開口に設けた輪状ボール抑え体の内面に鋼球が回転自在に設けられているため、この鋼球がボールの表面に接触し、ボールと鋼球との間の摩擦は極めて低く、トラックボール装置の使用設置角を３６０度の何れの角度とした場合も使用が可能となる。
【発明を実施するための最良の形態】
【０００９】
蓋体に設けた輪状ボール抑え体に鋼球を設け、この鋼球をボールに接触させることにより、傾斜角度に拘わらずボールを回転させることができるようにした。
【実施例】
【００１０】
以下、図面と共に本発明によるトラックボール装置の好適な実施の形態について説明する。尚、従来例と同一又は同等部分については同一符号を用いて説明する。
図１において符号１で示されるものは箱形をなし上部開放型のケースであり、このケース１の底部２上には互いに検出角度が異なる複数の回転検出器３（図では、１個のみしか示されていない）が設けられている。
【００１１】
前記各回転検出器３に連動するローラ等の回転部材３ａ及び支持ローラ４上には、ボール５が回転自在に載置して設けられ、このケース１の開口端６には、この開口端６をふさぐ状態で開口７を有する蓋体８が設けられている。
【００１２】
前記開口７からは、前記ボール５の一部が貫通かつ突出しており、この開口７に設けられた輪状ボール抑え体９の内面の凹部１１内に鋼球２０が回転自在に設けられている。
前記ボール５の表面は、前記鋼球２０に接触しており、このボール５と鋼球２０との間の摩擦は極めて低い状態に構成されている。
従って、ケース１を従来の３０度以上の傾斜角度に設置した場合でも、ボール５を回転することができ、実験の結果、３６０度の何れの傾斜角度においてもボールの回転が可能であった。
【産業上の利用可能性】
【００１３】
ケースの取り付け角度に制限がないため、トラックボール装置を取り付けた装置を回転させる場合においてもボールの操作が可能であり、従来よりも用途が拡大できる。
【図面の簡単な説明】
【００１４】
【図１】本発明によるトラックボール装置を示す断面図である。
【図２】従来のトラックボール装置を示す断面図である。
【図３】従来のトラックボール装置の最大設置角を示す説明図である。
【符号の説明】
【００１５】
１    ケース
３    回転検出器
３ａ    回転部材
５    ボール
６    開口端
７    開口
８    蓋体
９    輪状ボール抑え体
２０    鋼球
【図１】
2005071239.tif 000003
【図２】
2005071239.tif 000004
【図３】
2005071239.tif 000005
(57)【要約】      （修正有）【課題】患者のカルテを検索、抜き出すのは時間がかかる。名前は多くの漢字が使われているため、誤認も多い。カルテを迅速、確実に抽出する方法を提供する。【解決手段】名字と名前の頭文字の組み合わせを色と数字で組み合わせて、標示し、患者のカルテを検索する。名字の頭文字の識別に五十音のア行からワ行までを10種類のカラーラベルで識別する。使用するラベルは市販の９ｍｍサイズのラベルを用いる。名字の頭文字を子音と母音の２つに分け、子音をカラーラベルで識別する。次に母音を数字でア→１，イ→２，ウ→３，エ→４，オ→５で識別する。即ち、カラーラベルの色（１０色）と数字で名字の頭文字を表現する。さらに、名前の頭文字の識別には赤、黄、緑、茶、青の五色のマーカーを用いる。この際、名前の頭文字の識別には子音は省略し、母音成分のみをカラーラインで表示、識別する。【選択図】図１
2005071211.tif 000002
【特許請求の範囲】
【請求項１】
本発明は、顧客カルテ検索事務業務の確実性、スピード化を目的として、顧客姓名の識別に名字と名前の頭文字を採用、それぞれの頭文字をカラーと数字の組み合わせで識別させた顧客識別システム。
【発明の詳細な説明】
【技術分野】
【０００１】
本発明は、事務業務簡略化手段の一つとして顧客カルテ検索事務業務の確実性、スピード化を目的とした物である。
【背景技術】
【０００２】
顧客即ち旧患カルテ検索は、従来の検索法はカルテ数が増えてくると手作業なので時間がかかっている。コンピューター化された今日でも、患者を検索しても、取り出しはほとんどが手作業なので事務業務に時間がかかる現実がある。また、コンピューターにトラブルがあると、全体の機能が停止し、大きな支障がでている。
【発明の開示】
【発明が解決しようとする課題】
【０００３】
どの施設でもカルテが増えてくるとその保管場所から該当患者のカルテを検索、抜き出すのは時間がかかっているのが現実である。この検索は事務スタッフの手作業であり、名前は多くの漢字が使われているため、誤認も多い。この作業の確実性、スピード化が切実な課題であった。
【課題を解決するための手段】
【０００４】
顧客即ち旧患患者の検索に確実に“迅速にカルテを出すシステム”を考えた。
現場では名前を呼び合う姓名で検索するのが一番効率が良い。名字と名前の頭字の組み合わせを色と数字で組み合わせて、標示、患者を識別し、検索するシステムを考案した。
名字の頭文字の識別に五十音のア行からワ行までを10種類のカラーラベルで識別する。使用するラベルは市販の９mmサイズのラベルを用いた。子音の場合、名字の頭字を子音と母音の２つに分け、まず子音の行を先のカラーラベルで識別、次にその子音の中の母音を数字でア→１，イ→２，ウ→３，エ→４，オ→５で識別するようにした。即ち、カラーラベルの色（１０色）と数字で名字の組み合わせで名字の頭文字を表現することで簡略化した。
さらに名前の頭文字の識別には赤、黄、緑、茶、青の五色のマーカーを用いた。この際、名前の頭文字の子音の識別には子音の頭文字の識別は省略し、子音の母音成分を数字で表示し、その数字の部位をマーカーでライン化し、名前の頭文字を識別するようにした。
（例）木村  結花のカルテ検索方法
名字である木村はカ行であるため緑色のラベルで識別する。次にきむらの「き」の子音の母音が「イ」になるため２番と識別し、「き」を緑のカラーマークと数字の２で表示する。
次に名前は母音で５色のカラーペンのラインで識別する。結花（ゆか）は名前の最初が「ゆ」で「ゆ」の母音は「ウ」ですからう→３を表示する緑色マーカーでつけたライン部位を見つけると検索は終了する。（図１，２参照）
【発明の効果】
【０００５】
カルテの検索には煩雑な医療事務を覚える必要があり、カルテ検索にはベテランが必要であったが、新人は患者の姓名のみの確認でカルテ検索が可能になった。しかし、このシステムを採用すると、間違いなく、確実に、迅速にカルテを検索できるようになった。
【実施例１】
【０００６】
患者Sさん「鈴木ですが、昔かかったことがあります」
スタッフN「鈴木さんですね。鈴木さんのお名前を教えてください」
患者Sさん「鈴木一郎です」
スタッフN「鈴木一郎さんですね。はい、わかりました。保険は何でしょうか。」「社保です」「最後はいつ来院しましたか」「先週です」「すぐに準備をします」
受付では患者さんのカルテを出すための患者さんには上記のことしかお尋ねしない。
スタッフNは、患者登録画面で患者さんが前回来院された最終来院日を確認する。
「すずき」の「す」はサ行の3番でラベルではピンクマーク。「いちろう」の「い」の子音は「イ」→２で黄色ラインであることをスタッフが頭の中で確認して社保のカルテボックスから検索した。
一般に同姓同名の多い名前については、取り出したカルテが来院されている「鈴木一郎さん」で間違えがないかを保険証と照合して確認する。
【実施例２】
【０００７】
患者Aさんは年頃の女性です。
患者Aさん「こちらには（当クリニック）には以前に一度、受診しました」
スタッフI  「お名前は阿部弘子さんで受診されましたか」
患者Aさん「あっ、その頃は古川でした」
スタッフI  「はい、わかりました。古川弘子さんですね。すぐにカルテを準備をします」
スタッフは患者登録画面で「古川弘子」を確認してふるかわはハ行の３番でオレンジマークで、ひろこの「ヒ」は子音がイ→２で緑のラインになり、迅速にカルテを検索して取り出すことができた。
濁点から始まる患者さんの場合、五島淳子（ごとうじゅんこ）さんは、名字である五島はカ行であるため緑色のラベルで識別する。次にごとうの「ご」の子音の母音が「オ」になるため５番と識別し、「ご」をカ行の緑のカラーマークと数字の５で表示する。次に名前は母音で淳子（じゅんこ）は名前の最初が「じ」でじの母音は「イ」であり、イ→２を表示する黄色のカラーラインで識別する。
【図面の簡単な説明】
【０００８】
【図１】は名前の識別一覧である
【図２】はカルテの１号用紙である、実際の識別の１例である。
【図１】
2005071211.tif 000003
【図２】
2005071211.tif 000004
(57)【要約】      （修正有）【課題】証券代理店構想の実施においてコンプライアンスの確保方法の開発が急務とされている。【解決手段】ネットワークを利用した電話履歴及び内容を記録保存し、同時に発注システム・顧客管理システムと照合する事によりコンプライアンス確保を行う。また、コンプライアンス確保が効率的に行われる環境を構築する事により、証券代理店のコスト面の制約を軽減し、新チャネルの裾野を広げる。【選択図】図１
2005071310.tif 000002
【特許請求の範囲】
【請求項１】
ネットワークを利用したコンプライアンスの実行における基本的な手法。
【請求項２】
ネットワークを利用したコンプライアンスの実行をとおして可能となる、証券代理店の運営・統括に関するビジネスモデル。
【発明の詳細な説明】
【技術分野】
【０００１】本発明は、証券会社の管理組織と営業形態とに関する新しいシステムである。
【背景技術】
【０００２】金融審議会の証券市場活性化策の一環として販売チャネル機能を拡充するために、代理店方式が認められることとなるが、現在の証券会社では支店方式での管理方法しか確立されておらず、その為受発注時のコンプライアンス確保については営業員の資質に負う部分が大きくなっているなど、代理店方式を想定したネットワークでの管理システムが確立されていないのが現状である。
【発明の明示】
【発明が解決しようとする課題】
【０００３】代理店方式では取り次ぎ端末に注文を入力する事になるが、インターネット取り引きなどで行われている発注システムと根本的に異なり、多人数の注文を１台の端末から入力する事となる。その際のコンプライアンス確保やリスク管理について本発明により解決することを意図している。
【課題を解決するための手段】
【０００４】コンプライアンスと一口に言ってもフロント・ミドルなどと類別されるように非常に範囲が広い。受発注時の確認だけでも引け値関与・相場操縦など売買審査にかかる事柄から、営業員の無断売買・インサイダー取引の該当検査まである。
本発明は、電話システムとＣＴＩ技術によって電話内容および履歴を記録し発注システムと照合させる事によって、ネットワークを利用しこれらの問題の多くを解決する手段とするというものである。
既存の証券の対面営業形態では、支店単位による人的なコンプライアンス確保が主流であり、コールセンターなどの通信取り引き形態でも電話を使用・記録しながらも会話内容の証拠として位置付けられコンプライアンス確保については意識していない。また、インターネット証券の取引形態では顧客の法令上の問題を持った発注に関し管理できていないのが現状である。
このような状況の中で全く新しい営業形態である証券代理店が稼動した場合、一人の営業員が代理店として複数の顧客の注文を発注するというシチュエーションの中で発生するコンプライアンス上の諸問題に対し効果的に解決する方法が未だ確立されていない。
本発明は以上のような環境下で開発された新しい手法である。
【発明の効果】
【０００５】証券代理店制度の導入は新チャネルの誕生となり、我が国の証券市場における好影響は証券審議会の報告にもある通りである。本発明は新チャネルの運営における最大の問題を効果的に解決する手段を提供し、新チャネルの運営モデルを提供する事で、その好影響を最大限に引き出す事が出来、ひいては証券市場の発展や雇用形態の進化に寄与できると考えている。
【発明を実施するための最良の形態】
【０００６】以下に述べる方法を総合して実施し、証券会社における代理店の運営およびコンプライアンスの確保を行う事を登録する。
本発明を構成する一つ一つの手段は、概念上存在している方法である。しかしながらコンプライアンス確保に電話技術とネットワークを融合させて代理店方式の基本モデルとした体系としては初めてのものであり、ここに本発明の意義がある。
（イ）代理店端末で受ける電話発信先から顧客を特定し履歴を記録する。
これを発注履歴と時刻照合しコンプライアンス確保のデータとする。逆に営業員からの電話・メールの授受も同様とし、すべてネットワーク管理とする。
（ロ）顧客の注文を受ける方法。
顧客からの入出金・前受金などの発注代理業務細目は法令に従う。
（ハ）代理店契約の対象
代理店契約は法令に従いながら広範なものとし、地域ネットワークの５件程度の顧客を持つ主婦が経験を生かして月間数万円の収入を得るケースなどにも対応する。
（ニ）注文画面
銘柄などの規制、発注形態の多様化にあわせリスク管理コンプライアンス確保の目的をもってプレ発注画面を採用する。
【図面の簡単な説明】
【０００７】
【図１】全体の概略図である。
【図１】
2005071310.tif 000003
(57)【要約】【目的】ユーザは自身のホームページ、インターネットのバナー広告等に限定されず、電話や携帯端末、電波・印刷媒体、口頭などで、電子商取引の宣伝、および販売促進活動に参画できる。【構成】購入される商品ごとに購入者独自の「ユニークＰＩＮ」をコンピュータプログラムで発行・管理することにより、「ユニークＰＩＮ」を用いた宣伝活動を可能にさせ、電子商取引を拡大・発展させる。【選択図】図１
2005071309.tif 000002
【特許請求の範囲】
【請求項１】
電子商取引（以下、ＥＣ＝Ｅｌｅｃｔｒｉｃ  Ｃｏｍｍｅｒｃｅ）における商品ＤＢとユーザＤＢのデータとを関連付け、パーソナルアイデンティフィケーションナンバ（以下、ユニークＰＩＮ）を生成発行・情報管理するコンピュータプログラムおよびシステム（以下、ＰＩＮサーバ）。
【請求項２】
ウェッブブラウザや専用端末、携帯端末で入力された「ユニークＰＩＮ」から、ＰＩＮサーバを参照してデータを受取り、そのＰＩＮと呼応した情報を処理するクライアントアプリケーション。
【発明の詳細な説明】
【発明の詳細な説明】
この発明は、ユーザ（消費者）が電子商取引、又はカタログ通販（電話通販含む）、実際の店舗等で商品を購入する際、商品にユーザ個別の「ユニークＰＩＮ」を発行し、それを管理するコンピュータプログラムと、それを利用した販売促進システムである。
今日に至るまでにＥＣ市場は価格競争や電子的利便性の側面に捕らわれ、自ら市場の可能性を飽和させてしまっている。物が溢れる現代消費社会において「消費は個性を形成する」とまで言われているのにもかかわらず、個性的な消費を牽引するＥＣが存在していないのが現状である。
そこで本発明コンピュータプログラムでは、購入される商品ごとに購入者独自の「ユニークＰＩＮ」を発行・管理することにより、そのユーザにＰＩＮを用いた宣伝活動を可能にさせることを主たる目的とする。ユーザは自身のホームページ、インターネットの宣伝手段に限定されず、電話や携帯端末、印刷媒体、口頭などで、自分の所有物を第三者に知らせ、「ユニークＰＩＮ」を渡すだけで宣伝に参加できる。
ＰＩＮ管理システム（ａ）は、新設または既存の商品ＤＢとユーザＤＢを元にＰＩＮ  ＤＢ（ｂ）のデータを生成し、「ユニークＰＩＮ」の発行・管理に特化したサーバプログラムである。
ユーザＤＢに登録済みユーザ（消費者）が商品を購入する際に、ＰＩＮクライアントアプリケーション（ｃ）はＰＩＮサーバと交信する。動作完了後、その商品と関連付けたユーザ固有のＰＩＮを生成してＰＩＮ  ＤＢに格納。電子決済（ｄ）時（オーダー完了時）に「ユニークＰＩＮ」データは発行可能な状態になり（ｅ）、商品配送またはレジで商品を受渡す際に、そのＰＩＮが記載された番号（数値やバーコード）などをユーザへ渡す（ｆ）。ここではメールやファックス、その他赤外線・無線通信などで情報送信することも含む。
ユーザが自分の「ユニークＰＩＮ」を第三者に現実世界、またはインターネット（ホームページ等）にて伝えると（ｇ）、その第三者が該当ユーザの「ユニークＰＩＮ」を用いて、インターネットや電話通販、実際の店舗で同じ商品を新たにオーダーすることが可能（ｈ）。
ＰＩＮクライアントアプリケーションは、ＰＩＮサーバ経由で商品ＤＢを照合して在庫確認をする（ｉ）。オーダー可能な状態の場合は、ＰＩＮ呼応の商品情報（価格など含む）をクライアントに送信して（ｊ）通常の商取引を行い、仮に第三者との商取引が成立の場合、ＰＩＮサーバに値を返し、ショップが規定の特典をユーザに対して渡す（ｌ）。また第三者は別途ユーザ登録することにより「ユニークＰＩＮ」を受取ることができ、一連のアクティビティへ主体的に参加することができる（ｋ）。
本発明は電子決済部分とは必ずしも同一ではない、「ユニークＰＩＮ」認証システムと考えて差し支えない。ただし電子決済の部分機能であるので、通常の電子商取引の付加機能としての役割を図の中で示している。
この発明がもたらす効果は、インターネットに限定されない販売促進を実現せ、口コミ的効果を最大限に引き出しつつ動員計画を立てることができる点にある。ユーザにとってはその宣伝活動に貢献すると、何かしらのショップ規定の特典を得るメリットがある一方、第三者にとってはカタログやウェッブだけでは伝わらない商品の具体的な使われ方やスタイル、ひいてはユーザの生の声に触れることができ、商品に対する理解と購買意欲を深めることができる。すなわちアフェリエイト等のウェッブにおけるバナー宣伝とは違い、効果的な広告および販売促進を実施することができるようになり、ＥＣの守備範囲を拡大させる。
【図面の簡単な説明】
【図１】  本発明を実施するブロック図である。
【図１】
2005071309.tif 000003
(57)【要約】【課題】屋外等で給湯を必要としたときに水道もしくは簡易タンク等の給水設備が確立されていれば、屋外および屋内など何処の場所でも給湯が供給される。また、煮炊き、加熱など調理時の熱源が必要のときは単独のガスコンロとして熱源の供給ができ、給湯および熱源が必要な作業の作業効率アップを課能とする。【選択図】      図１
2005291685.tif 000002
【特許請求の範囲】
【請求項１】
カートリッジ式ガスボンベを使用し、水道もしくは簡易タンク等の給水設備を備えた場所であれば、屋外および屋内でも簡易的に給湯できる移動分割式ガス器具である。
【請求項２】
煮炊き、加熱など調理時の熱源が必要のときは、給湯熱交換器部を分割切離して単独のガスコンロとして屋外および屋内でも使用できる移動分割式ガス器具である。
【発明の詳細な説明】
【技術分野】
【０００１】  本発明は必要とする場所にて給湯または熱源供給を可能とし、それぞれの作業能率向上に関するものである。
【背景技術】
【０００２】  ガス湯沸し器は給湯設備として、また、ガスコンロは煮炊き、加熱等の熱源供給として幅広く実用に供されている。
実用のガス湯沸し器はガス管、給水管および給湯管が固定され給湯が必要とする場所に配管にて給湯されている。
ガスコンロにおいても固定式ガス供給管またはカートリッジ式ガスボンベを用いて熱源ガスが供給されている【０００３】  このような設備の場合は、他に給湯が必要なときは給湯管より、ビニールホース等で給湯が必要な場所（屋内から屋外など）まで引き込まなければならなかった。また、熱源についても必要に応じて固定式ガス供給管またはカートリッジ式ガスボンベなどガスの供給方式を選択しなければならなかった。【０００４】  この改善策としてカートリッジ式ガスボンベを用いることにより、水道もしくは簡易タンクなどの給水設備がある場所であれば、何処にでも給湯ができ、給湯熱交換器部を分割切離すことによりガスコンロとして必要な熱源の供給ができる方法がある。
【特許文献１】特開２００３−１６１５２６
【特許文献２】特開２００２−５５１８
【特許文献３】特開平８−２２６７０５
【発明の開示】
【発明が解決しようとする課題】
【０００５】  解決しようとする問題点は、カートリッジ式ガスボンベ燃焼方式を用い給湯設備の無い場所で、一時的に給湯が必要とされたときに水道もしくは簡易タンク等の給水設備が設置されていれば給湯ができるようにする。また、ガスコンロとして調理等の加熱用熱源が供給できるなど、必要とする目的に応じた作業に対して１台の器具で可能とする等。
【課題を解決するための手段】
【０００６】  移動分割式ガス器具は固定された給水管、ガス供給管、給湯管など設置されていない場所にて、カートリッジ式ガスボンベを用いて給湯熱交換器部とガスコンロ部とを分割可能とし、目的に応じて給湯および加熱用熱源の供給が一台の器具で可能とし、作業時間の大幅な短縮と諸経費の軽減およびガス燃料を用いることにより大気の汚染を極力少なくさせることを最も主要な特徴とする。
【発明の効果】
【０００７】  本発明の移動分割式ガス器具は屋外、屋内などで給湯を必要としたとき、例えば動物ペットの洗浄時に屋内にある給湯口からホースで引き出し、屋内を汚す等心配せずに安心して給湯が可能であり、また、災害、キャンプ、海水浴等のシャワーあるいは炊事の熱源供給の目的に応じて１台の器具で可能とする利点がある。
【発明を実施するための最良の形態】
【０００８】  屋内、屋外の水道もしくは簡易タンク等の給水設備が設置されている各種場所において、本発明の移動分割式ガス器具とカートリッジ式ガスボンベのみで給湯および調理等の加熱熱源の供給ができることとし、各々の作業の向上を図る目的を、安全性を第一に最小の部品数で軽量化し、操作性を損なわずに実現した。
【実施例】
【０００９】  本発明に係る給湯用器具、加熱用ガスコンロである移動分割式ガス器具の構成を図面に示す実施例について説明する。
図１に示すようにボンベホルダー８にセッテングされたカートリッジ式ガスボンベ５より、供給された燃焼用ガスはガス供給弁６の開閉およびガス調圧弁７にてガス圧力を調整されてガスコンロ部４に供給される。供給されたガスは空気中の酸素と混合し点火装置９によって点火される。
ガスコンロ部４の上部には水道もしくは簡易タンクと接合された給水弁２、給湯コイル１０、給湯弁３から構成される着脱可能な給湯熱交換器部１を組合わせることにより移動が可能で、屋内、屋外問わず給湯ができる。【００１０】  給湯熱交換器部１を取外すことにより屋内、屋外問わず簡単に移動させることが可能で、ガスコンロ部４を単独で使用すると、炊事等の調理の加熱熱源として利用することができる。
【産業上の利用可能性】
【００１１】  屋内、屋外問わずいかなる場所においても、水道もしくは簡易タンク等の水源を確保することにより給湯が簡単にできることで、これからの高齢化社会で予想される高齢者介護における汚物等の洗浄、ペットの洗浄、屋外キャンプまたは災害緊急時等の調理などに利用できる。
【図面の簡単な説明】
【００１２】
【図１】本発明の移動分割式ガス器具の構成を示す正面図である。（実施例１）
【図２】本発明のガスコンロ部を示す正面図である。（実施例２）
【図３】本発明の給湯熱交換器部を示す正面図である。（実施例３）
【符号の説明】
【００１３】  １  給湯熱交換器部
２  給水弁
３  給湯弁
４  ガスコンロ部
５  カートリッジ式ガスボンベ
６  ガス供給弁
７  ガス調圧弁
８  ボンベホルダー
９  点火装置
１０  給湯コイル
【図１】
2005291685.tif 000003
【図２】
2005291685.tif 000004
【図３】
2005291685.tif 000005
(57)【要約】【課題】    家庭用ヒーターの移動は重く、運びにくかった。【解決手段】家庭用ヒーターの床面接地部にキャスター４個を設け持ち上げなくても少ない動力でヒーターを押して移動ができる。【選択図】    図１
2005291688.tif 000002
【特許請求の範囲】
【請求項１】
家庭用ヒーターにキャスターを設けたことを特徴とするキャスター付ヒーター。
【請求項２】
前記キャスターはストッパーを設けたことを特徴とする請求項１記載の家庭用ヒーター。
【発明の詳細な説明】
【技術分野】
【０００１】  本発明は家庭用ヒーターの移動に関する。
【背景技術】
【０００２】  従来の家庭用ヒーターは図２に示すように、床面に置いて使用していました。
【発明の開示】
【発明が解決しようとする課題】
【０００３】  しかしながらヒーターを移動する時、持ち上げて移動するには重く運びにくかった。
そこで、この発明は、運びやすい家庭用ヒーターを提供することを課題とする。
【課題を解決するための手段】
【０００４】以上の課題を解決するために第一発明は家庭用ヒーターの床面接地部にキャスターを設けたことを特徴とする家庭用ヒーターである。
また、第二発明は、キャスターに車輪ストッパーを設け移動時以外には床面に固定されることを特徴とする家庭用ヒーターである。
【発明の効果】
【０００５】第一発明、または第二発明によれば、家庭用ヒーターに車輪ストッパー付きキャスターが付いてあるため持ち上げなくてもストッパーを緩めると少ない力で前後左右に移動できる。
【図１】
2005291688.tif 000003
【図２】
2005291688.tif 000004
【手続補正書】
【提出日】平成16年6月3日(2004.6.3)
【手続補正１】
【補正対象書類名】明細書
【補正対象項目名】全文
【補正方法】変更
【補正の内容】
【発明の詳細な説明】
【技術分野】
【０００１】  本発明は家庭用ヒーターの移動に関する。
【背景技術】
【０００２】  従来の家庭用ヒーターは図２に示すように、床面に置いて使用していました。
【発明の開示】
【発明が解決しようとする課題】
【０００３】  しかしながらヒーターを移動する時、持ち上げて移動するには重く運びにくかった。そこで、この発明は、運びやすい家庭用ヒーターを提供することを課題とする。
【課題を解決するための手段】
【０００４】以上の課題を解決するために図１に示すように、第一発明は家庭用ヒーターの床面接地部にキャスターを設けたことを特徴とする家庭用ヒーターである。  また、第二発明は、キャスターに車輪ストッパーを設け移動時以外には床面に固定されることを特徴とする家庭用ヒーターである。
【発明の効果】
【０００５】第一発明、または第二発明によれば、家庭用ヒーターに車輪ストッパー付きキャスターが付いてあるため持ち上げなくてもストッパーを緩めると少ない力で前後左右に移動できる。
【図面の簡単な説明】
【０００６】
【図１】発明後の立面図
【図２】発明前の立面図